(57)【要約】  格納されるデータに何らの加工を施すことなく、複写された汎用光記録ディスクの使用を確実に阻止することのできる光記録ディスクを提供することを課題とする。  汎用光記録ディスクに比べて所定量だけ拡大された記録容量を有し、予めデータ２０が格納された光記録ディスク１であって、ディスクドライブへの装着時に所定処理を実行する起動ファイル１９と、当該起動ファイル１９の自動実行を指定する起動指定ファイル１８とをデータ２０に付加して格納した構成とされ、起動ファイル１９は、所定処理の実行に先だって、記録領域１０の末尾側に位置する拡大された記録領域１５へのアクセス処理を行う機能を備えた光記録ディスク１。【特許請求の範囲】
【請求項１】
汎用光記録ディスクに比べて所定量だけ拡大された記録容量を有し、予めデータが格納された光記録ディスクであって、ディスクドライブへの装着時に所定処理を実行する起動ファイルと、当該起動ファイルの自動実行を指定する起動指定ファイルとを前記データに付加して格納した構成とされ、前記起動ファイルは、所定処理の実行に先だって、記録領域の末尾側に位置する拡大された記録領域に記録された起動確認データへのアクセス処理を行う機能を備えた光記録ディスク。
【請求項２】
前記起動ファイルおよび起動指定ファイルは、記録領域の先頭側に格納される請求項１に記載の光記録ディスク。
【請求項３】
汎用光記録ディスクに比べて所定量だけ拡大された記録容量を有し、予めデータが格納された光記録ディスクであって、ディスクドライブへの装着時に所定処理を実行する起動ファイルと、当該起動ファイルの自動実行を指定する起動指定ファイルとを前記データに付加して格納した構成とされ、前記起動ファイルまたは起動指定ファイルの少なくともいずれかのファイルの一部または全部を、記録領域の末尾側に位置する拡大された記録領域に位置させて格納した光記録ディスク。
【請求項４】
汎用光記録ディスクに比べて所定量だけ拡大された記録容量を有し、予めデータが格納された光記録ディスクであって、前記データに付加されるリードアウトデータの一部または全部を、記録領域の末尾側に位置する拡大された記録領域に位置させて格納した光記録ディスク。
【請求項５】
前記記録容量の拡大値は、汎用光記録ディスクの記録容量の５パーセント未満である請求項１乃至４のいずれか１項に記載の光記録ディスク。
【請求項６】
一層記録式の光記録ディスクである請求項１乃至５のいずれか１項に記載の光記録ディスク。
【請求項７】
ＤＶＤ(Digital Versatile Disc)またはＣＤ(Compact Disc)である請求項１乃至６のいずれか１項に記載の光記録ディスク。
【発明の詳細な説明】
【技術分野】
【０００１】
本発明は光記録ディスクに係り、更に詳しくは、光記録ディスクのデータが複写された汎用光記録ディスクの使用を阻止するものに関する。
【背景技術】
【０００２】
近時、パーソナルコンピュータに用いられるプログラムデータや、ゲームソフトウェアあるいは映像データ、音楽データなどを光データとして記録する光記録ディスクが普及している。【０００３】
汎用光記録ディスクには、ＤＶＤ−ＲＯＭ(Digital Versatile Disc-Read Only Memory)のような予めデータの記録された読み取り専用ディスクや、ＤＶＤ−Ｒ(DVD-Recordable)のような書き込み可能なディスク、ＤＶＤ−ＲＷ(DVD-ReWritable)やＤＶＤ−ＲＡＭ(DVD-Random Access Memory)などの書き換え可能なディスクが実用されている。
また、アプリケーションフォーマットの異なるＤＶＤ＋ＲやＤＶＤ＋ＲＷの仕様、或いは、ＤＶＤ±ＶＲなどの仕様も実用化されている。【０００４】
また、記録形式の異なる汎用光記録ディスクも開発されており、４．７ＧＢ（ギガバイト）の記録容量を有する片面一層記録式や、８．５ＧＢの記録容量を有する片面二層記録式のものが実用化されている。【０００５】
また、ＤＶＤとは異なり、読み取り専用のＣＤ−ＲＯＭ(Compact Disc-Read Only Memory)や、書き込み可能なＣＤ−Ｒ(CD-Recordable)、書き換え可能なＣＤ−ＲＷ(CD-ReWritable)などの汎用光記録ディスクが実用化されている。音楽用ＣＤ（ＣＤＤＡ：Compact Disc Digital Audio）の規格に準拠したＣＤ−ＲＯＭも提供されている。【０００６】
このような汎用光記録ディスクのうち、ＤＶＤ−ＲＯＭやＣＤ−ＲＯＭは、データに基づいて製されたプレス原版をブランクディスクにプレスしたり、あるいは、書き込み可能な汎用光記録ディスクにデータを焼き付けて書き込むことにより、予めディスクにデータを格納した状態で提供される。
また、ＤＶＤ±ＲやＣＤ−Ｒ、或いは、ＤＶＤ±ＲＷ、ＣＤ−ＲＷ、ＤＶＤ−ＲＡＭなどの汎用光記録ディスクは、データ記録用のソフトウェアを用いてユーザー側でデータを書き込みまたは書き換え可能である。【０００７】
特許文献１には、このような光記録ディスクが開示されている。
光記録ディスクは、ディスクに設けられた螺旋状の高密度の溝（グルーブ）にレーザー光を用いてピットを形成することにより、ディスクの内周から外周側へ向けてデータを記録するもので、小さなディスクに大容量のデータを記録することが可能である。
特に、ＤＶＤはＣＤに比べて６倍以上の大容量のデータを記録可能であり、データストレージの主流となりつつある。【０００８】
ところで、このような汎用光記録ディスクは、前記したように、データ記録用のソフトウェアを用いることにより、ディスクに記録された大容量のデータを別の汎用光記録ディスクに容易に複写することができる。このため、著作権の保護を目的として、種々のコピープロテクト方式が実用化されている。【０００９】
実用化されているコピープロテクト方式としては、例えば、ビデオ用や音楽用の光記録ディスクに適用されるMacrovision方式やCopy Generation Management System (CGMS)、Contents Scrambling System (CSS)、Contents Protection for Prerecorded Media (CPPM)、Contents Protection for Recordable Media (CPRM）、Digital Transmission Content Protection (DTCP)などがある。また、直接コピープロテクトを行うのではなく、格納されるデータに著作権者を特定するデータを埋め込む電子透かし(Digital WaterMark)方式も実用化されている。
【特許文献１】特開２００３−０５４１２８号公報
【発明の開示】
【発明が解決しようとする課題】
【００１０】
ところが、前記したコピープロテクト方式は、主としてビデオディスクや音楽ディスクに適用されるものであり、パーソナルコンピュータ用のデータやゲームソフトウェアの記録された光記録ディスクに好適なコピープロテクト方式は実用化されていなかった。【００１１】
また、前記したコピープロテクト方式は、コピーされたディスクであるか否かの判別をディスクが装着されるデッキやプレーヤ側で行うため、判別処理がこれらの機器に依存することとなり、正常な判別が行われないことが多かった。【００１２】
更に、前記したコピープロテクト方式は、いずれも、格納されるデータに特殊な加工を施す必要があり、製造コストが増加するうえに加工に伴ってデータの劣化が生じ易く、更に、提供データがそのままディスクに格納されないため、データ提供者（著作権者）にとって不満を残すものであった。【００１３】
本発明は、前記事情に鑑みて提案されるもので、格納されるデータに何らの加工を施すことなく、複写された汎用光記録ディスクの使用を確実に阻止することのできる光記録ディスクを提供することを目的としている。
【課題を解決するための手段】
【００１４】
前記目的を達成するために、本発明者らは以下に述べる技術的手段を講じた。
尚、以下の説明で述べるオペレーティングシステム（以下、ＯＳと記載）とは、光記録ディスクの装着されるパーソナルコンピュータやデッキ、プレーヤなどの機器の有するディスクドライブを含む周辺機器の入出力データの管理や、機器の有するＣＰＵ（中央処理装置）のメモリ管理などを行う基本プログラムを言い、Ｗｉｎｄｏｗｓ（米国 Microsoft Corporationの米国およびその他の国における登録商標または商標）やＭＳ／ＤＯＳ、あるいはＭａｃＯＳ（米国その他の国々で登録されたApple Computer, Inc.の登録商標）などを指す。【００１５】
また、以下で述べるファイル管理システムとは、論理フォーマットによって光記録ディスクに形成されるシステムを言い、ＯＳによって参照されて光記録ディスクに格納されたデータ（ファイル）の記録位置（セクタ）を特定するシステムを指す。【００１６】
本発明の第１の様相は、汎用光記録ディスクに比べて所定量だけ拡大された記録容量を有し、予めデータが格納された光記録ディスクであって、ディスクドライブへの装着時に所定処理を実行する起動ファイルと、当該起動ファイルの自動実行を指定する起動指定ファイルとを前記データに付加して格納した構成とされ、前記起動ファイルは、所定処理の実行に先だって、記録領域の末尾側に位置する拡大された記録領域に記録された起動確認データへのアクセス処理を行う機能を備えた光記録ディスクである。【００１７】
本様相の光記録ディスクをパーソナルコンピュータやデッキ、プレーヤなどのディスクドライブに装着すると、ディスクドライブを管理するＯＳによって起動指定ファイルが参照され、当該起動指定ファイルで指定した起動ファイルが自動的に起動される。起動ファイルが起動すると、拡大された記録領域内に記録された起動確認データへのアクセス処理が行われ、この後、起動ファイルによってメニュー表示などの所定処理が実行される。
則ち、本様相の光記録ディスクを使用する限り、メニュー表示などの所定処理が自動的に実行されてディスクの使用が可能となる。【００１８】
一方、本様相の光記録ディスクは、汎用光記録ディスクに比べて所定量だけ記録容量を拡大させている。このため、コピーソフトウェアを用いて、本様相の光記録ディスクを別の汎用光記録ディスクにそのまま複写すると、拡大された記録領域に格納されていた起動確認データと末尾に付加されていたリードアウトデータとがはみ出して記録されないこととなる。【００１９】
ところが、光記録ディスクは、データの先頭および末尾に付加して格納されているリードインデータおよびリードアウトデータが読み込まれることにより、ＯＳによってディスクが認識される。言い換えれば、リードインデータやリードアウトデータのいずれのデータが欠落してもデータセッションが完結しないため、ＯＳによってディスクが認識されず、ディスクの使用が不可能である。【００２０】
従って、複写した汎用光記録ディスクをディスクドライブに装着すると、リードアウトデータが存在しないためにＯＳによってディスクが認識されず、ディスクの使用が完全に阻止される。
則ち、コピーソフトウェアを用いて本様相の光記録ディスクを別の汎用光記録ディスクにそのまま複写すると、複写されたディスクは使用不可能となる。【００２１】
また、コピーソフトウェアを用いて、データを構成するファイルやフレームの間引きを行いつつ、本様相の光記録ディスクを別の汎用光記録ディスクに収まるように複写すると、格納されたデータを管理するファイルシステムと起動指定ファイルや起動ファイルはそのまま複写される。また、データが間引かれることにより、拡大された記録領域に格納されていた起動確認データとリードアウトデータもそのまま記録されることとなる。【００２２】
ところが、本様相の光記録ディスクは、汎用光記録ディスクに比べて記録容量を所定量だけ拡大されている。このため、本様相の光記録ディスクの拡大された記録領域に割り当てられていたセクタ番号は、汎用光記録ディスクには存在しない。
従って、複写された汎用光記録ディスクでは、ファイル管理システムによって管理される起動確認データの記録されたセクタを示すセクタ番号は存在しない。【００２３】
このため、複写した汎用光記録ディスクをディスクドライブに装着すると、起動ファイルは自動的に起動されるが、起動ファイルの処理によって起動確認データへのアクセスを行う時点で、存在しないセクタへのアクセスが行われることとなり、システムエラーが発生する。これにより、起動ファイルの以降の処理が停止し、メニュー表示などの所定処理の実行が阻止される。【００２４】
則ち、コピーソフトウェアを用いて、データの間引きを行いつつ本様相の光記録ディスクを汎用光記録ディスクに収まるように複写しても、複写したディスクではメニュー表示などの所定処理が行われず使用が阻止される。【００２５】
ここで、一層記録式の本様相の光記録ディスクを、当該ディスクよりも記録容量の大きい二層記録式の汎用光記録ディスクにそのまま複写した場合について考察する。
二層記録式の汎用光記録ディスクは、一層目の記録容量が一層記録式の汎用光記録ディスクと同一であり、二層目の記録容量は一層目よりも少ない。従って、一層記録式の本様相の光記録ディスクをそのまま二層記録式の汎用光記録ディスクに複写すると、ファイル管理システム、起動指定ファイル、起動ファイルおよびデータはそのまま一層目の記録領域に複写される。また、拡大された記録領域に格納されていた起動確認データとリードアウトデータは、一層目からはみ出して二層目の記録領域にそのまま複写される。【００２６】
ところが、二層記録式の汎用光記録ディスクでは、ファイル管理システムによって一層目と二層目を区別して管理する。このため、一層記録式の本様相の光記録ディスクの拡大された記録領域に割り当てられていたセクタ番号は、二層記録式の汎用光記録ディスクには存在しない。則ち、複写された二層記録式の汎用光記録ディスクでは、ファイル管理システムで管理される起動確認データの記録されたセクタを示すセクタ番号は存在しない。【００２７】
従って、複写された汎用光記録ディスクをディスクドライブに装着すると、起動ファイルは自動的に起動するが、起動ファイルから起動確認データへのアクセスを行う時点で、存在しないセクタへのアクセスが行われることとなり、システムエラーが発生する。これにより、起動ファイルの処理が停止し、メニュー表示などの所定処理の実行が阻止される。【００２８】
則ち、コピーソフトウェアを用いて、一層記録式の本様相の光記録ディスクをそのまま二層記録式の汎用光記録ディスクに複写しても、複写したディスクではメニュー表示などの所定処理が行われず使用が阻止される。【００２９】
このように、本様相によれば、オリジナルの光記録ディスクを使用する限り、メニュー表示などの所定処理が自動的に実行されて使用可能であるが、オリジナルの光記録ディスクを一層記録式や二層記録式の汎用光記録ディスクに複写すると、複写されたディスクでは、メニュー表示などの所定処理が行われず、その使用を阻止することが可能となる。【００３０】
また、本様相の光記録ディスクは、起動指定ファイル、起動ファイルおよび起動確認データをデータに付加して格納するだけの構成であり、格納されたデータに特殊な加工を施す必要がない。これにより、省コスト化が図られると共に加工に伴ってデータに劣化が生じることがない。また、データに加工が施されない観点からデータ提供者にとって好ましい。【００３１】
また、本様相によれば、複写に伴うセクタの欠落を利用して複写されたディスクの使用を阻止できる。これにより、ディスクが装着されるデッキやプレーヤに依存することなく、複写されたディスクの使用を確実に阻止することが可能となる。【００３２】
本様相は、例えば、起動ファイルの処理によってインストールを開始するＰＣ用のソフトウェアプログラムなどを格納した光記録ディスクに好適に採用することができる。また、ゲームディスクやビデオディスク、音楽ディスクなどのうち、起動ファイルによってチャプター選択メニューや言語指定メニューなどを表示する機能を備えたディスクに好適に採用することが可能である。【００３３】
本様相において、汎用光記録ディスクに比べて記録容量を所定量だけ拡大する手段としては、光記録ディスクに施される物理フォーマットのトラック密度を増加させる構成を採ることができる。【００３４】
また、本様相の光記録ディスクを製する方法としては、予め記録データに基づいて作成されたプレス原版をブランクディスクにプレスする方法を採ることができ、大量生産に好適である。また、書き込み可能な光記録ディスクに記録データを焼き付ける方法を採ることも可能である。【００３５】
好ましくは、前記起動ファイルおよび起動指定ファイルは、記録領域の先頭側に格納される。【００３６】
ディスクドライブに内蔵されるデータ読み取りヘッドは、非アクセス時において光記録ディスクの記録領域の先頭側の近傍に位置する。
この好ましい様相によれば、光記録ディスクをディスクドライブに装着したときに、起動指定ファイルおよび起動ファイルが格納された先頭側に位置する記録領域にデータ読み取りヘッドを短時間に移動させることができる。これにより、起動ファイルを短時間に起動させてメニュー表示などの所定処理を立ち上げることが可能となる。【００３７】
本発明の第２の様相は、汎用光記録ディスクに比べて所定量だけ拡大された記録容量を有し、予めデータが格納された光記録ディスクであって、ディスクドライブへの装着時に所定処理を実行する起動ファイルと、当該起動ファイルの自動実行を指定する起動指定ファイルとを前記データに付加して格納した構成とされ、前記起動ファイルまたは起動指定ファイルの少なくともいずれかのファイルの一部または全部を、記録領域の末尾側に位置する拡大された記録領域に位置させて格納した光記録ディスクである。【００３８】
本様相によれば、光記録ディスクをパーソナルコンピュータやデッキ、プレーヤなどのディスクドライブに装着すると、ＯＳによって起動指定ファイルが参照され、当該起動指定ファイルで指定した起動ファイルが自動的に起動する。そして、起動ファイルの処理によって光記録ディスクに記録されたデータの再生などに必要なメニュー表示などの所定処理が実行される。
則ち、本様相の光記録ディスクを使用する限り、メニュー表示などの所定処理が自動的に実行されてディスクの使用が可能となる。【００３９】
しかし、本様相の光記録ディスクは、汎用光記録ディスクに比べて所定量だけ記録容量を拡大させている。このため、コピーソフトウェアを用いて本様相の光記録ディスクを別の汎用光記録ディスクにそのまま複写すると、拡大された記録領域に格納されていた起動指定ファイルまたは起動ファイルと、データの末尾に付加されていたリードアウトデータとがはみ出して記録されない。【００４０】
従って、複写した汎用光記録ディスクをディスクドライブに装着すると、リードアウトデータが存在しないためにディスクが認識されず、ディスクの使用が阻止される。
則ち、コピーソフトウェアを用いて本様相の光記録ディスクを別の汎用光記録ディスクにそのまま複写すると、複写されたディスクの使用は不可能となる。【００４１】
また、コピーソフトウェアを用いて、データを構成するファイルやフレームの間引きを行いつつ、本様相の光記録ディスクを別の汎用光記録ディスクに収まるように複写すると、データを管理するファイル管理システムはそのまま複写される。また、データが間引かれたことにより、拡大された記録領域に格納されていた起動指定ファイルあるいは起動ファイルとリードアウトデータもそのまま記録されることとなる。【００４２】
ところが、本様相の光記録ディスクは、汎用光記録ディスクに比べて記録容量を所定量だけ拡大されている。このため、本様相の光記録ディスクの拡大された記録領域に割り当てられていたセクタ番号は、汎用光記録ディスクには存在しない。
則ち、複写された汎用光記録ディスクでは、ファイル管理システムで管理される起動指定ファイルあるいは起動ファイルの記録されたセクタを示すセクタ番号は存在しない。【００４３】
従って、複写された汎用光記録ディスクをディスクドライブに装着すると、起動指定ファイルあるいは起動ファイルを実行する時点で、存在しないセクタへのアクセスが行われることとなり、システムエラーが発生する。これにより、起動指定ファイルや起動ファイルの実行が阻止される。【００４４】
則ち、コピーソフトウェアを用いて、データを間引きつつ本様相の光記録ディスクを別の汎用光記録ディスクに収まるように複写しても、複写したディスクにおけるメニュー表示などの所定処理が行われず使用が阻止される。【００４５】
ここで、一層記録式の本様相の光記録ディスクのデータを、当該ディスクよりも記録容量の大きい二層記録式の汎用光記録ディスクにそのまま複写する場合について考察する。
前記したように、二層記録式の汎用光記録ディスクは、一層目の記録容量が一層記録式の汎用光記録ディスクと同一であり、二層目の記録容量は一層目よりも少ない。従って、一層記録式の本様相の光記録ディスクを二層記録式の汎用光記録ディスクにそのまま複写すると、データを管理するファイル管理システムとデータとはそのまま一層目の記録領域に複写される。また、起動指定ファイルあるいは起動ファイルとリードアウトデータは一層目からはみ出して二層目の記録領域にそのまま複写される。【００４６】
ところが、前記したように、二層記録式の汎用光記録ディスクでは、ファイル管理システムによって一層目と二層目を区別して管理する。このため、一層記録式の本様相の光記録ディスクの拡大された記録領域に割り当てられていたセクタ番号は、二層記録式の汎用光記録ディスクには存在しない。
則ち、複写された二層記録式の汎用光記録ディスクでは、ファイル管理システムで管理される起動指定ファイルまたは起動ファイルの記録されたセクタを示すセクタ番号は存在しない。【００４７】
従って、複写された汎用光記録ディスクをディスクドライブに装着すると、起動指定ファイルまたは起動ファイルを実行する時点で、存在しないセクタへのアクセスが行われることとなり、システムエラーが発生する。これにより、起動指定ファイルや起動ファイルの実行が阻止される。【００４８】
則ち、コピーソフトウェアを用いて、一層記録式の本様相の光記録ディスクをそのまま二層記録式の汎用光記録ディスクに複写しても、複写したディスクにおけるメニュー表示などの所定処理が行われず使用が阻止される。【００４９】
このように、本様相によれば、オリジナルの光記録ディスクを使用する限り、メニュー表示などの所定処理が自動的に実行されて使用可能であるが、オリジナルの光記録ディスクを一層記録式や二層記録式の汎用光記録ディスクに複写すると、複写されたディスクでは、メニュー表示などの所定処理が行われず、その使用を阻止することが可能となる。【００５０】
また、本様相の光記録ディスクは、記録されるデータに付加して、起動指定ファイル、起動ファイルおよび起動確認データをデータに付加して格納するだけの構成であり、格納するデータに特殊な加工を施す必要がない。これにより、上記した第１の様相及びその好ましい様相と同様に、省コスト化が図られると共に、加工に伴うデータの劣化が生じることがない。また、データに加工が施されない観点からデータ提供者にとって好ましい。【００５１】
また、本様相によれば、複写に伴うセクタの欠落を利用して複写されたディスクの使用を阻止できる。これにより、上記した第１の様相と同様に、ディスクが装着されるデッキやプレーヤに拘わらず、複写されたディスクの使用を確実に阻止することが可能となる。【００５２】
また、本様相は、上記した第１の様相と同様に、起動ファイルを備えたパーソナルコンピュータ用の光記録ディスクや、起動ファイルによってチャプター選択メニューや言語指定メニューなどを表示する機能を備えたゲームディスク、ビデオディスク、音楽ディスクなどに好適に採用することが可能である。【００５３】
本様相において、起動指定ファイルまたは起動ファイルのいずれか一方のファイルの一部または全部を拡大された記録領域に位置させて格納する構成を採ることができる。また、起動指定ファイルおよび起動ファイルの双方のファイルの一部または全部を拡大された記録領域に位置させて格納する構成を採ることも可能である。【００５４】
本様相において、汎用光記録ディスクに比べて記録容量を所定量だけ拡大する手段としては、上記した第１の様相の光記録ディスクと同様に、光記録ディスクに施される物理フォーマットのトラック密度を増加させる構成を採ることができる。
また、本様相の光記録ディスクを製する方法は、上記した第１の様相の光記録ディスクと同様に、プレス原版を用いる方法や、記録データを書き込み可能な光記録ディスクに焼き付ける方法を採ることが可能である。【００５５】
本発明の第３の様相は、汎用光記録ディスクに比べて所定量だけ拡大された記録容量を有し、予めデータが格納された光記録ディスクであって、前記データに付加されるリードアウトデータの一部または全部を、記録領域の末尾側に位置する拡大された記録領域に位置させて格納した光記録ディスクである。【００５６】
前記したように、光記録ディスクは、データに付加して格納されるリードインデータやリードアウトデータのいずれのデータが欠落しても、データセッションが完結しないためにＯＳによってディスクが認識されず、ディスクの使用が不可能である。【００５７】
ところが、本様相の光記録ディスクは、汎用光記録ディスクに比べて記録容量を所定量だけ拡大させ、当該拡大された記録領域内にリードアウトデータの一部または全部を位置させて記録している。
このため、コピーソフトウェアを用いて、本様相の光記録ディスクを別の汎用光記録ディスクにそのまま複写すると、リードアウトデータの一部または全部がはみ出して記録されない。【００５８】
従って、複写された光記録ディスクをディスクドライブに装着しても、リードアウトデータが存在しないかまたは不完全なためにデータセッションが完結せず、ＯＳによってディスクが認識されない。これにより、複写されたディスクの使用を阻止することが可能となる。【００５９】
ここで、ビデオディスクや音楽ディスクのなかには、起動指定ファイルや起動ファイルを備えずに、ディスクが装着されるデッキやプレーヤ側によって自動的に起動処理を開始するものがある。このようなディスクは、起動指定ファイルおよび起動ファイルを備えていないために、上記した第１の様相及びその好ましい様相、並びに上記した第２の様相のような構成を適用することができない。【００６０】
しかし、本様相の光記録ディスクは、起動指定ファイルや起動ファイルを備えていないビデオディスクや音楽ディスクであっても、リードアウトデータを拡大された記録領域に格納するだけで、複写されたディスクの使用を効果的に阻止することが可能となる。【００６１】
本様相において、汎用光記録ディスクに比べて所定量だけ記録容量を拡大する手段としては、上記した第１の様相と同様に、光記録ディスクに施される物理フォーマットのトラック密度を増加させる構成を採ることができる。
また、本様相の光記録ディスクを製する方法は、上記した第１の様相と同様に、プレス原版を用いる方法や、記録データを書き込み可能な光記録ディスクに焼き付ける方法を採ることが可能である。【００６２】
好ましくは、前記記録容量の拡大値は、汎用光記録ディスクの記録容量の５パーセント未満である。【００６３】
ここで、記録容量の拡大量は適宜に設定できる。則ち、記録容量の拡大量が少ない場合であっても、前記した起動確認データや起動指定ファイル、起動ファイルあるいはリードアウトデータの一部を当該拡大領域に記録可能であれば、複写された別の汎用光記録ディスクの使用を阻止することができる。【００６４】
一方、記録容量の拡大量が増大すると、光記録ディスクに施される物理フォーマットのトラック密度が増大し、汎用光記録ディスクに対する書き込み及び読み取りの互換性を維持することが困難となる。
汎用光記録ディスクの書き込み及び読み取りの互換性を維持する面から、記録容量の拡大量は汎用光記録ディスクの記録容量の５パーセント未満が望ましく、３パーセント程度が最適である。【００６５】
好ましくは、一層記録式の光記録ディスクである。【００６６】
上記したように、この好ましい様相の光記録ディスクをそのまま二層記録式の汎用光記録ディスクに複写しても、複写したディスクではメニュー表示などの所定処理が行われず使用が阻止される。【００６７】
好ましくは、ＤＶＤ(Digital Versatile Disc)またはＣＤ(Compact Disc)である。【００６８】
この好ましい様相の光記録ディスクによれば、予めデータを記録したＤＶＤ−ＲＯＭとして提供することにより、当該ディスクに記録されたデータが、汎用のＤＶＤ±Ｒ，±ＲＷ，ＲＡＭに複写されて使用されることを効果的に阻止することが可能となる。【００６９】
また、この好ましい様相の光記録ディスクによれば、予めデータを記録したＣＤ−ＲＯＭとして提供することにより、当該ディスクに記録されたデータが、汎用のＣＤ−Ｒ，ＲＷに複写されて使用されることを効果的に阻止することが可能となる。また、音楽用ＣＤ（ＣＤＤＡ）の規格に準拠したＣＤ−ＲＯＭに適用することも可能である。
【発明の効果】
【００７０】
本発明によれば、格納されるデータに何らの加工を施すことなく、しかも、ディスクの装着されるパーソナルコンピュータやデッキ、プレーヤなどの機器側の処理機能に依存することなく、複写された汎用光記録ディスクの使用を確実に阻止することができ、著作権を効果的に保護することのできる光記録ディスクを提供することが可能となる。
【図面の簡単な説明】
【００７１】
【図１】図１は、本発明の第１実施形態に係る光記録ディスク（ＤＶＤ−ＲＯＭ）のデータ記録状態を示す説明図である。
【図２】図２は、図１の光記録ディスクに記録されたデータを直線状に示した模式図である。
【図３】図３は、図１の光記録ディスクに記録されたデータを間引きつつ一層記録式の汎用光記録ディスクに収まるように複写したときのデータの記録状態を直線状に示した模式図である。
【図４】図４は、図１の光記録ディスクに記録されたデータをそのまま一層記録式の汎用光記録ディスクに複写したときのデータの記録状態を直線状に示した模式図である。
【図５】図５は、図１の光記録ディスクに記録されたデータをそのまま二層記録式の汎用光記録ディスクに複写したときのデータの記録状態を直線状に示した模式図である。
【図６】図６は、本発明の第２実施形態に係る光記録ディスク（ＤＶＤ−ＲＯＭ）のデータ記録状態を示す説明図である。
【図７】図７は、図６の光記録ディスクに記録されたデータを直線状に示した模式図である。
【図８】図８は、図６の光記録ディスクに記録されたデータを間引きつつ一層記録式の汎用光記録ディスクに収まるように複写したときのデータの記録状態を直線状に示した模式図である。
【図９】図９は、図６の光記録ディスクに記録されたデータをそのまま一層記録式の汎用光記録ディスクに複写したときのデータの記録状態を直線状に示した模式図である。
【図１０】図１０は、図６の光記録ディスクに記録されたデータをそのまま二層記録式の汎用光記録ディスクに複写したときのデータの記録状態を直線状に示した模式図である。
【図１１】図１１は、本発明の第３実施形態に係る光記録ディスク（ＤＶＤ−ＲＯＭ）のデータ記録状態を示す説明図である。
【図１２】図１２は、図１１の光記録ディスクに記録されたデータを直線状に示した模式図である。
【図１３】図１３は、図１１の光記録ディスクに記録されたデータをそのまま一層記録式の汎用光記録ディスクに複写したときのデータの記録状態を直線状に示した模式図である。
【発明を実施するための最良の形態】
【００７２】
以下に、図面を参照して本発明の実施形態を説明する。【００７３】
（第１実施形態）
本実施形態の光記録ディスク（ＤＶＤ−ＲＯＭ）１は一層記録式であり、汎用光記録ディスク（汎用ＤＶＤ−ＲＯＭ）の４．７ギガバイト（ＧＢ）の記録容量に比べて、略３．２％（０．１５ＧＢ）だけ記録容量を拡大させたもので、４．８５ＧＢの記録容量を有する。【００７４】
則ち、光記録ディスク１は、図１の様に、一層記録式の汎用光記録ディスクと同一容量の４．７ＧＢの規格記録領域１４の末尾側（外周側）に、０．１５ＧＢの拡大記録領域（拡大された記録領域）１５を連続させて付加した４．８５ＧＢの記録領域１０を有する。
本実施形態では、光記録ディスク１に施す物理フォーマットのトラック密度を増加させることにより、汎用光記録ディスクの記録容量（４．７ＧＢ）よりも多い４．８５ＧＢの記録容量を得ている。【００７５】
光記録ディスク１は汎用光記録ディスクと同様に、図１の様に、ディスク中心から半径２２．６ｍｍの円１１と、中心から半径５８ｍｍの円１２で囲まれる領域に記録膜層１ａが形成されて記録領域１０として機能するもので、当該記録領域１０の記録容量が４．８５ＧＢである。【００７６】
本実施形態の光記録ディスク１は、予めデータの記録されたＤＶＤ−ＲＯＭであり、図１，図２に示すデータが記録されている。
則ち、規格記録領域１４のうち、内周側の円１１と半径２４ｍｍの円１３で囲まれる領域にはリードインデータ１６が記録される。【００７７】
また、リードインデータ１６に続く領域には、ディスク管理を行うファイル管理システム１７、起動指定ファイル１８、起動ファイル１９およびデータ２０が順に記録されている。更に、規格記録領域１４に続く拡大記録領域１５には、起動確認データ２１とリードアウトデータ２２が記録される。
ここで、起動確認データ２１の記録される領域は、拡大記録領域１５の先頭に位置する第ｎセクタの記録領域とされている。【００７８】
リードインデータは、光記録ディスク１の書き込み及び読み取りを制御するためのコントロールデータであり、物理フォーマットに関する情報、ディスクサイズ、最大転送レート、ディスク層数、トラックパス方向、全面ＲＯＭかパーシャルＲＯＭかの情報、記録線密度、トラック密度、スタートセクタ値およびエンドセクタ値を含むデータで構成される。【００７９】
ファイル管理システム１７は、光記録ディスク１が装着されるディスクドライブ（不図示）を管理するＯＳによってディスク１のファイルを参照するシステムである。
ファイル管理システム１７は、データ（ファイル）の記録されたセクタアドレスを示すＦＡＴ（File Allocation Table)１７ａまたはＶＡＴ（Virtual Allocation Table）１７ａと、ファイル名、ディレクトリ名、拡張子、ファイルサイズ、エントリアドレスを含むデータを格納したディレクトリデータ１７ｂとで構成される。【００８０】
起動指定ファイル１８は、光記録ディスク１をディスクドライブに装着したときに自動実行させるファイルを指定するファイルである。本実施形態では、起動指定ファイル１８としてテキストファイル形式の「Autorun.inf」 を使用し、当該ファイル１８によって起動ファイル１９を自動実行ファイルとして指定している。【００８１】
起動ファイル１９は、起動時に拡大記録領域１５である第ｎセクタに記録された起動確認データ２１を参照し、その後は、記録されたデータのインストールや再生のためのメニュー表示などの所定処理を行うファイルである。本実施形態では、起動ファイル１９として実行ファイル形式の「Autorun.exe」を使用している。【００８２】
また、リードアウトデータ２２は、記録データの末尾を示すセッション終了データを含んで構成されるデータである。【００８３】
則ち、本実施形態の光記録ディスク１は、記録領域１０のうち、規格記録領域１４にリードインデータ１６、ファイル管理システム１７、起動指定ファイル１８、起動ファイル１９およびデータ２０が順に記録されると共に、拡大記録領域１５に起動確認データ２１とリードアウトデータ２２が記録された読み取り専用のディスクである。【００８４】
本実施形態では、データに基づいて予め製されたプレス原版をブランクディスクにプレスすることによって光記録ディスク１を製している。
尚、光記録ディスク１は、プレス原版を用いずに、４．８５ＧＢの物理フォーマットおよび論理フォーマットの施されたＤＶＤ−Ｒなどに焼き付けによってデータを記録して製することも可能である。【００８５】
次に、本実施形態の光記録ディスク１をディスクドライブ（不図示）に装着した場合の動作を、図１，図２を参照して説明する。
光記録ディスク１をディスクドライブに装着すると、ＯＳはファイル管理システム１７によって起動指定ファイル１８を参照し、自動実行ファイルとして指定された起動ファイル「Autorun.exe」１９を起動する。【００８６】
起動ファイル１９が起動されると、その処理によって拡大記録領域１５の第ｎセクタに記録された起動確認データ２１が参照される。
この後、起動ファイル１９の処理によって光記録ディスク１に記録されたデータのインストールや再生のために必要なメニュー表示などの所定処理が行われる。【００８７】
則ち、オリジナルの光記録ディスク１を使用する限り、起動ファイル１９が自動的に起動されてメニュー表示などの必要な表示が行われ、メニューに従って光記録ディスク１を使用することが可能である。【００８８】
次に、コピーソフトウェアを用いて、本実施形態の光記録ディスク１を一層記録式の汎用光記録ディスク（ＤＶＤ−Ｒ）５に複写した場合について説明する。【００８９】
まず、コピーソフトウェアを用いて、図２の光記録ディスク１に記録されたデータ２０を間引きつつ、図３の４．７ＧＢの記録容量を有する一層記録式の汎用光記録ディスク５に収まるように複写した場合について説明する。【００９０】
データ２０を形成するファイルまたはフレームのうち、間引こうとするファイルまたはフレーム数を指定してデータ２０を間引きつつ複写する。すると、図３の様に、４．７ＧＢの汎用光記録ディスク５には、リードインデータ１６、ファイル管理システム１７、起動指定ファイル１８がそのまま複写されると共に、間引き処理されたデータ２０ａが格納される。更に、間引き処理されたデータ２０ａの末尾に、起動確認データ２１とリードアウトデータ２２がそのまま複写される。
従って、起動確認データ２１は、間引き処理されたデータ２０ａの記録容量の縮小に伴って、汎用光記録ディスク５の第（ｎ−ａ）セクタの記録領域から記録されることとなる。【００９１】
ここで、図２の光記録ディスク１は、図３の汎用光記録ディスク５に比べて記録容量を拡大させているので、光記録ディスク１の拡大記録領域１５に割り当てられていた第ｎセクタ以降のセクタ番号は、汎用光記録ディスク５には存在しない。
則ち、複写された汎用光記録ディスク５では、ファイル管理システム１７で管理される起動確認データ２１の記録領域を示すセクタ番号（第ｎセクタ）は存在しないセクタ番号となる。【００９２】
このため、複写した汎用光記録ディスク５をディスクドライブに装着して起動ファイル１９が自動的に起動しても、起動ファイル１９の処理によって起動確認データ２１へのアクセスを行う時点で、存在しない第ｎセクタへのアクセスが行われることとなり、システムエラーが発生する。これにより、起動ファイル１９の処理が停止し、メニュー表示などの所定処理が実行されず、複写したディスク５の使用が阻止される。【００９３】
次に、コピーソフトウェアを用いて、図２に示す光記録ディスク１を、そのまま図４に示す４．７ＧＢの記録容量を有する汎用光記録ディスク５に複写した場合について説明する。【００９４】
前記したように、図２に示す本実施形態の光記録ディスク１は、図４の一層記録式の汎用光記録ディスクに比べて０．１５ＧＢだけ記録容量を拡大させている。このため、コピーソフトウェアを用いて、図２の光記録ディスク１を図４の一層記録式の汎用光記録ディスク５にそのまま複写すると、拡大記録領域１５に格納されていた起動確認データ２１とリードアウトデータ２２とがはみ出して記録されないこととなる。【００９５】
ところが、光記録ディスクは、リードインデータ１６やリードアウトデータ２２のいずれのデータが欠落してもデータセッションが完結しないため、ＯＳによってディスクが認識されず、ディスクの使用が不可能である。【００９６】
従って、図４の複写された汎用光記録ディスク５をディスクドライブに装着すると、リードアウトデータ２２が存在しないためにＯＳによってディスクが認識されず、ディスクの使用が完全に阻止される。【００９７】
次に、コピーソフトウェアを用いて、図２に示す光記録ディスク１を、そのまま図５に示す８．５ＧＢの記録容量を有する二層記録式の汎用光記録ディスク６に複写した場合について説明する。【００９８】
ここで、二層記録式の汎用光記録ディスク６は、一層目６ａの記録容量が一層記録式の汎用光記録ディスク５と同一の４．７ＧＢであり、二層目６ｂの記録容量は一層目よりも少ない３．８ＧＢである。【００９９】
従って、図２の光記録ディスク１を、そのまま図５に示す二層記録式の汎用光記録ディスク６に複写すると、一層目６ａには、リードインデータ１６、ファイル管理システム１７、起動指定ファイル１８および起動ファイル１９と、データ２０がそのまま記録され、二層目６ｂには、一層目６ａからはみ出た起動確認データ２１とリードアウトデータ２２がそのまま記録される。【０１００】
ところが、図５の二層記録式の汎用光記録ディスク６では、ファイル管理システム１７による記録領域の管理は、一層目と二層目とを区別して行う。従って、起動確認データ２１は、二層目の０セクタから記録されることとなる。このため、図２の光記録ディスク１において、起動確認データ２１を記録した第ｎセクタは、図５の二層記録式の汎用光記録ディスク６には存在しない。
則ち、複写された汎用光記録ディスク６では、ファイル管理システム１７で管理される起動確認データ２１の記録領域を示すセクタ番号（第ｎセクタ）は存在しないセクタ番号となる。【０１０１】
従って、図５の複写された汎用光記録ディスク６をディスクドライブに装着すると、起動ファイル１９は自動的に起動されるが、起動ファイル１９から起動確認データ２１へのアクセスを行う時点で、存在しない第ｎセクタへのアクセスが行われることとなり、システムエラーが発生する。これにより、起動ファイルの処理が停止し、メニュー表示などの所定処理の実行が阻止される。【０１０２】
このように、本実施形態の光記録ディスク１によれば、オリジナルの光記録ディスク１をそのまま使用する限り、メニュー表示などの所定処理が自動的に実行されて使用可能である。しかし、オリジナルの光記録ディスク１を一層記録式や二層記録式の汎用光記録ディスク５，６に複写すると、メニュー表示などの所定処理が行われず、使用を阻止することが可能となる。【０１０３】
また、本実施形態の光記録ディスク１は、起動指定ファイル１８、起動ファイル１９および起動確認データ２１をデータ２０に付加して格納するだけの構成であり、データ２０に特殊な加工を施す必要がない。これにより、省コスト化が図られると共に加工に伴うデータの劣化が生じない。また、データ２０に加工が施されない観点からデータ提供者にとって好ましい。【０１０４】
また、本実施形態によれば、ディスクが装着されるデッキやプレーヤ側の処理に依存することなく、複写されたディスクの使用を確実に阻止することが可能となる。【０１０５】
尚、本実施形態では、起動指定ファイル１８および起動ファイル１９を記録領域１０の先頭側に位置させて記録する構成としたが、これらのファイルは、記録領域１０の適宜の部位に記録することが可能である。【０１０６】
（第２実施形態）
次に、本発明の第２実施形態に係る光記録ディスク２を説明する。【０１０７】
尚、本実施形態の光記録ディスク２は、前記第１実施形態の光記録ディスク１において、格納されるファイルの処理機能および記録部位を変更した構成である。従って、同一構成部分には同一の符号を付して重複した説明を省略する。【０１０８】
本実施形態の光記録ディスク（ＤＶＤ−ＲＯＭ）２は、前記第１実施形態で述べた光記録ディスク１と同一の４．８５ＧＢの記録容量を有するディスクであり、物理フォーマットのトラック密度を増加させることにより、汎用光記録ディスクの記録容量（４．７ＧＢ）よりも多い記録容量を確保している。【０１０９】
本実施形態の光記録ディスク２は、予めデータの記録されたＤＶＤ−ＲＯＭであり、図６，図７に示すデータが記録されている。
則ち、規格記録領域１４には、リードインデータ１６、ファイル管理システム１７、起動指定ファイル１８およびデータ２０が順に記録されている。更に、規格記録領域１４に続く拡大記録領域１５には、起動ファイル１９'とリードアウトデータ２２が記録されている。
ここで、起動ファイル１９'の記録される領域は、拡大記録領域１５の先頭に位置する第ｎセクタとされている。【０１１０】
リードインデータ１６、ファイル管理システム１７、起動指定ファイル１８、データ２０およびリードアウトデータ２２は、前記第１実施形態で述べた光記録ディスク１と同一のデータである。【０１１１】
起動ファイル１９'は、記録されたデータ２０のインストールや再生のためのメニュー表示などの所定処理だけを行うファイルであり、前記第１実施形態で述べた起動ファイル１９から、起動確認データ２１へのアクセス処理機能を取り除いた構成とされている。
本実施形態では、起動ファイル１９'として、実行ファイル形式の「Autorun.exe」 を使用している。【０１１２】
本実施形態の光記録ディスク２は、格納するデータに基づいて予め製されたプレス原版をブランクディスクにプレスすることによって光記録ディスク１を製している。尚、光記録ディスク１は、プレス原版を用いずに、４．８５ＧＢの物理フォーマットおよび論理フォーマットの施されたＤＶＤ−Ｒなどに焼き付けによってデータを記録して製することも可能である。【０１１３】
次に、本実施形態の光記録ディスク２をディスクドライブ（不図示）に装着した場合の動作を、図６，図７を参照して説明する。
光記録ディスク２をディスクドライブに装着すると、ＯＳはファイル管理システム１７によって起動指定ファイル１８を参照し、自動実行ファイルとして指定された起動ファイル１９'を起動する。【０１１４】
起動ファイル１９'が起動されると、その処理によって光記録ディスク２に記録されたデータのインストールや再生のために必要なメニュー表示などの処理が行われる。
則ち、オリジナルの光記録ディスク２を使用する限り、起動ファイル１９'が起動されてメニュー表示などの必要な表示が行われ、メニューに従って光記録ディスク２を使用することが可能である。【０１１５】
次に、コピーソフトウェアを用いて、本実施形態の光記録ディスク２を一層記録式の汎用光記録ディスク（ＤＶＤ−Ｒ）５に複写した場合について説明する。【０１１６】
まず、コピーソフトウェアを用いて、図７に示す光記録ディスク２に記録されたデータ２０を間引きつつ、図８に示す４．７ＧＢの記録容量を有する一層記録式の汎用光記録ディスク５に収まるように複写した場合について説明する。【０１１７】
データ２０を構成するファイルまたはフレームのうち、間引こうとするファイルまたはフレーム数を指定してデータ２０を間引きつつ複写する。すると、図８の様に、４．７ＧＢの汎用光記録ディスク５には、リードインデータ１６、ファイル管理システム１７、起動指定ファイル１８がそのまま複写されると共に、間引き処理されたデータ２０ａが格納される。更に、間引き処理されたデータ２０ａの末尾に、起動ファイル１９'とリードアウトデータ２２がそのまま複写される。
従って、起動ファイル１９は、間引き処理されたデータ２０ａの記録容量の縮小によって、汎用光記録ディスク５の第（ｎ−ａ）セクタの記録領域から記録されることとなる。【０１１８】
ここで、図７の光記録ディスク１は、図８の汎用光記録ディスク５に比べて記録容量を拡大させているので、拡大された記録領域に割り当てられていた第ｎセクタ以降のセクタ番号は、汎用光記録ディスク５には存在しない。【０１１９】
このため、複写した汎用光記録ディスク５をディスクドライブに装着すると、起動指定ファイル１８によって起動ファイル１９'を起動しようとする時点で、存在しない第ｎセクタへのアクセスが行われることとなり、システムエラーが発生する。これにより、起動ファイル１９の処理が停止し、メニュー表示などの所定処理が実行されず、複写したディスク５の使用が阻止される。【０１２０】
次に、コピーソフトウェアを用いて、図２に示す光記録ディスク２に記録されたデータ２０を、そのまま図９に示す４．７ＧＢの記録容量を有する汎用光記録ディスク５に複写した場合について説明する。【０１２１】
前記したように、図７に示す本実施形態の光記録ディスク２は、図９の一層記録式の汎用光記録ディスクに比べて０．１５ＧＢだけ記録容量を拡大させている。このため、コピーソフトウェアを用いて、図７の光記録ディスク２を図９の一層記録式の汎用光記録ディスク５にそのまま複写すると、拡大記録領域１５に格納されていた起動ファイル１９とリードアウトデータ２２とがはみ出して記録されない。【０１２２】
ところが、前記したように、光記録ディスクは、リードインデータ１６やリードアウトデータ２２のいずれのデータが欠落してもデータセッションが完結しないため、ＯＳによってディスクが認識されず、ディスクの使用が不可能である。【０１２３】
従って、図４の複写された汎用光記録ディスク５をディスクドライブに装着すると、リードアウトデータ２２が存在しないためにＯＳによってディスクが認識されず、ディスク５の使用が完全に阻止される。【０１２４】
次に、コピーソフトウェアを用いて、図７に示す光記録ディスク２に記録されたデータ２０を、そのまま図１０に示す８．５ＧＢの記録容量を有する二層記録式の汎用光記録ディスク６に複写した場合について説明する。【０１２５】
前記したように、二層記録式の汎用光記録ディスク６は、一層目６ａの記録容量が一層記録式の汎用光記録ディスク５と同一の４．７ＧＢであり、二層目６ｂの記録容量は一層目よりも少ない３．８ＧＢである。【０１２６】
従って、図７の光記録ディスク１を、そのまま図１０に示す二層記録式の汎用光記録ディスク６に複写すると、一層目６ａには、リードインデータ１６、ファイル管理システム１７、起動指定ファイル１８および起動ファイル１９と、データ２０がそのまま記録される。また、二層目６ｂには、一層目６ａからはみ出た起動ファイル１９'とリードアウトデータ２２が記録される。【０１２７】
ところが、前記したように、図１０の二層記録式の汎用光記録ディスク６では、ファイル管理システム１７による記録領域の管理は、一層目と二層目とを区別して行う。従って、起動ファイル１９'は、二層目の０セクタから記録されることとなる。このため、図７の本実施形態の光記録ディスク２において、起動ファイル１９'を記録した第ｎセクタは、図１０の二層記録式の汎用光記録ディスク６には存在しない。
則ち、複写された汎用光記録ディスク６では、ファイル管理システム１７で管理される起動ファイル１９'の記録されたセクタを示すセクタ番号（第ｎセクタ）は存在しない。【０１２８】
従って、図１０の複写された汎用光記録ディスク６をディスクドライブに装着すると、起動指定ファイル１８によって起動ファイル１９を起動する時点で、存在しない第ｎセクタへのアクセスが行われることとなり、システムエラーが発生する。これにより、起動ファイルの起動が行われず、メニュー表示などの所定処理の実行が阻止される。【０１２９】
このように、本実施形態の光記録ディスク２によれば、オリジナルの光記録ディスク２をそのまま使用する限り、メニュー表示などの所定処理が自動的に実行されて使用可能である。しかし、オリジナルの光記録ディスク２を一層記録式や二層記録式の汎用光記録ディスク５，６に複写すると、メニュー表示などの所定処理が行われず、使用を阻止することが可能となる。【０１３０】
また、本実施形態の光記録ディスク２は、起動指定ファイル１８と起動ファイル１９をデータ２０に付加して格納するだけの構成であり、格納されるデータ２０に特殊な加工を施す必要がない。これにより、省コスト化が図られると共にデータ２０の劣化が生じない。また、データに加工が施されない観点からデータ提供者にとって好ましい。【０１３１】
また、本実施形態によれば、ディスクが装着されるデッキやプレーヤ側の処理に依存することなく、複写されたディスクの使用を確実に阻止することが可能となる。【０１３２】
尚、本実施形態では、起動ファイル１９を拡大記録領域１５に格納する構成としたが、起動ファイル１９の一部を拡大記録領域１５に位置させて格納する構成を採ることも可能である。また、起動ファイルに代えて、起動指定ファイル１８の一部または全部を拡大記録領域１５に格納する構成を採ることも可能である。更に、起動ファイル１９および起動指定ファイル１８の双方のファイルの一部または全部を拡大記録領域１５に格納する構成を採ることも可能である。【０１３３】
（第３実施形態）
次に、本発明の第３実施形態に係る光記録ディスク３を説明する。【０１３４】
尚、本実施形態の光記録ディスク３は、前記第１実施形態の光記録ディスク１において、格納されるファイルおよび記録部位を変更した構成である。従って、同一構成部分には同一の符号を付して重複した説明を省略する。【０１３５】
本実施形態の光記録ディスク（ＤＶＤ−ＲＯＭ）３は、前記第１実施形態で述べた光記録ディスク１と同一の４．８５ＧＢの記録容量を有するディスクであり、物理フォーマットのトラック密度を増加させることにより、汎用光記録ディスクの記録容量（４．７ＧＢ）よりも多い記録容量を確保している。【０１３６】
本実施形態の光記録ディスク３は、予めデータの記録されたＤＶＤ−ＲＯＭであり、図１１，図１２に示すように、規格記録領域１４には、リードインデータ１６、ファイル管理システム１７およびデータ２０が順に記録され、規格記録領域１４に続く拡大記録領域１５にはリードアウトデータ２２が記録されている。
則ち、本実施形態の光記録ディスク３は、前記第１実施形態で示した光記録ディスク１において、起動指定ファイル１８、起動ファイル１９および起動確認データ２１を取り除いた構成とされている。【０１３７】
リードインデータ１６、ファイル管理システム１７、データ２０およびリードアウトデータ２２は、前記第１実施形態で述べた光記録ディスク１と同一のデータである。【０１３８】
本実施形態の光記録ディスク３は、格納するデータに基づいて予め製されたプレス原版をブランクディスクにプレスすることによって製している。
尚、光記録ディスク３は、プレス原版を用いずに、４．８５ＧＢの物理フォーマットおよび論理フォーマットの施されたＤＶＤ−Ｒなどに焼き付けによってデータを記録して製することも可能である。【０１３９】
次に、本実施形態の光記録ディスク３をディスクドライブ（不図示）に装着した場合の動作を、図１１，図１２を参照して説明する。
光記録ディスク３をディスクドライブに装着すると、ＯＳはリードインデータ１６およびリードアウトデータ２２を読み取ることによってディスク２の装着を認識し、以降は、光記録ディスク３が装着されたディスクドライブ側の起動処理によって、記録されたデータ２０の自動的に再生される。【０１４０】
次に、コピーソフトウェアを用いて、図１２に示す光記録ディスク３に記録されたデータ２０を、そのまま図１３に示す４．７ＧＢの記録容量を有する一層記録式の汎用光記録ディスク５に複写した場合について説明する。【０１４１】
前記したように、図１２に示す本実施形態の光記録ディスク３は、図１３の一層記録式の汎用光記録ディスク５に比べて０．１５ＧＢだけ記録容量を拡大させている。このため、コピーソフトウェアを用いて、図１２の光記録ディスク３を図１３の一層記録式の汎用光記録ディスク５にそのまま複写すると、拡大記録領域１５に格納されていたリードアウトデータ２２がはみ出して記録されないこととなる。【０１４２】
ところが、前記したように、光記録ディスクは、リードインデータ１６やリードアウトデータ２２のいずれのデータが欠落してもデータセッションが完結しないため、ＯＳによってディスクが認識されず、ディスクの使用が不可能である。【０１４３】
従って、図１３の複写された汎用光記録ディスク５をディスクドライブに装着すると、リードアウトデータ２２が存在しないためにＯＳによってディスクが認識されず、ディスク５の使用が完全に阻止される。【０１４４】
但し、本実施形態の光記録ディスク３を、データの間引き処理を行いつつ一層記録式の汎用光記録ディスク５に複写した場合や、そのまま二層記録式の汎用光記録ディスク６に複写した場合は、リードアウトデータ２２が記録されることとなり、複写されたディスク５，６の使用を阻止することはできない。【０１４５】
このように、本実施形態の光記録ディスク３によれば、オリジナルの光記録ディスク３をそのまま使用する限り、メニュー表示などの所定処理が自動的に実行されて使用可能である。しかし、オリジナルの光記録ディスク３を一層記録式の汎用光記録ディスク５にそのまま複写すると、複写したディスク５が認識されず、使用を阻止することが可能となる。【０１４６】
また、本実施形態の光記録ディスク３は、リードアウトデータ２２を拡大記録領域１５に格納するだけの構成であり、格納されるデータ２０に特殊な加工を施す必要がない。これにより、省コスト化が図られると共にデータ２０の劣化が生じない。また、データに加工が施されない観点からデータ提供者にとって好ましい。【０１４７】
特に、ビデオディスクや音楽ディスクのうち、起動指定ファイル１８や起動ファイル１９を備えずに、ディスクを装着するデッキやプレーヤ側の起動処理によって自動的に起動されるディスクであっても、本発明を適用することにより、複写されたディスクの使用を効果的に阻止することが可能となる。【０１４８】
また、本実施形態によれば、ディスクが装着されるデッキやプレーヤ側の処理に依存することなく、複写されたディスクの使用を確実に阻止することが可能となる。【０１４９】
尚、本実施形態では、リードアウトデータ２２を拡大記録領域１５に格納する構成としたが、リードアウトデータ２２の一部を拡大記録領域１５に位置させて格納する構成を採ることも可能である。リードアウトデータ２２に加えて、データ２０の末尾の一部を拡大記録領域１５に記録する構成を採ることも可能である。【０１５０】
以上、本発明に係る第１〜第３実施形態の光記録ディスク１，２，３を説明したが、前記説明において、光記録ディスク１，２，３のデータを複写するディスクを、一層記録式の汎用光記録ディスク（ＤＶＤ−Ｒ）５、または、二層記録式の汎用光記録ディスク（ＤＶＤ−Ｒ）６として説明した。しかし、複写するディスクは、ＤＶＤ−Ｒに限られるものではなく、汎用のＤＶＤ＋ＲやＤＶＤ±ＲＷ、ＤＶＤ−ＲＡＭに複写した場合であっても、同様に、複写したディスクの使用を阻止することが可能である。【０１５１】
また、前記実施形態では、光記録ディスクとしてＤＶＤ−ＲＯＭを例に挙げて説明したが、同様の構成をＣＤ−ＲＯＭに適用することも可能である。この構成においても、データを汎用のＣＤ−ＲやＣＤ−ＲＷに複写した場合の使用を阻止することが可能である。また、音楽用ＣＤ（ＣＤＤＡ）の規格に準拠したＣＤ−ＲＯＭに適用することも可能である。
【図１】
2006085579.tif 000002
【図２】
2006085579.tif 000003
【図３】
2006085579.tif 000004
【図４】
2006085579.tif 000005
【図５】
2006085579.tif 000006
【図６】
2006085579.tif 000007
【図７】
2006085579.tif 000008
【図８】
2006085579.tif 000009
【図９】
2006085579.tif 000010
【図１０】
2006085579.tif 000011
【図１１】
2006085579.tif 000012
【図１２】
2006085579.tif 000013
【図１３】
2006085579.tif 000014
【国際調査報告】
2006085579.tif 000015
2006085579.tif 000016